(57)【要約】      （修正有）【課題】遠くを見るための上部のレンズと、手元を見るための下部のレンズと、を具備する多焦点レンズを有する眼鏡において、そのいずれかのレンズの焦点に使用者の視線を合わせるために眼鏡を上下してその視線を切り替える際に、節度感を有し、耐久性の富む眼鏡用パッド装置を提供する。【解決手段】眼鏡用パッド装置は、使用者の鼻に当接する鼻あてパッド２０を有し、鼻あてパッド２０は、角の丸い長方形状を呈し、長方形状の長手方向の上端部に第１吸引部３６と、長方形状の長手方向の下端部に第２吸引部３７と、を具備する摺動部３１と、を有する。この摺動部３１にスライド移動可能に嵌合し、上端部および下端部にそれぞれ配置した第１吸引部３６および第２吸引部３７と選択的に吸着する被吸引部４５を具備する保持部４０と、をさらに有する。【選択図】図２
0003222754.tif 000002
【実用新案登録請求の範囲】
【請求項１】
使用者の鼻に当接する鼻あてパッドと、
前記鼻あてパッドは、角の丸い長方形状を呈し、前記長方形状の長手方向の上端部に第１吸引部と、前記長方形状の長手方向の下端部に第２吸引部と、を具備する摺動部と、を有し、
前記摺動部にスライド移動可能に嵌合し、前記上端部および下端部にそれぞれ配置した第１吸引部および第２吸引部と選択的に吸着する被吸引部を具備する保持部と、をさらに有する眼鏡用パッド装置。
【請求項２】
前記鼻あてパッドの裏面に前記摺動部を有し、
前記摺動部は、所定の間隔を有し、互いに対向するように配置した第１壁部と、第２壁部と、
前記第１壁部の上端において、内側に突出するように配置された第１上端部と、
前記第２壁部の上端において、内側に突出するように配置された第２上端部と、を有する請求項１記載の眼鏡用パッド装置。
【請求項３】
前記保持部は、断面視凹状の第１凹部と、断面視凹状の第２凹部と、をさらに有し、
前記第１凹部は、前記第１上端部と嵌合するとともに、
前記第２凹部は、前記第２上端部と嵌合することで、前記摺動部に対し、前記保持部が、スライド移動可能に嵌合する請求項２記載の眼鏡用パッド装置。
【請求項４】
前記鼻あてパッドの表面に、滑り止めのシリコン樹脂を塗布した請求項１から３いずれか１項記載の眼鏡用パッド装置。
【請求項５】
前記請求項１から４いずれか１項記載の眼鏡用パッド装置を一対２個有するメガネフレーム。
【考案の詳細な説明】
【技術分野】
【０００１】
本考案は、眼鏡フレームに取り付ける眼鏡用パッド装置に関するものである。
【背景技術】
【０００２】
従来いわゆる遠近両用眼鏡においてその眼鏡レンズの上部は遠くを見るためのものであり下部は手元を見るためのものである。このようないわゆる多焦点レンズを有する眼鏡の場合に使用者は眼鏡を上下にずらして、それぞれの焦点を合わせている。
【０００３】
このように上部は遠くを見るためのものであり下部は手元を見るためのものであるいわゆる多焦点レンズを有する眼鏡の場合は、例えば、実開昭６３-１２２３２１号公報において、眼鏡枠に分岐枝端部に揺動可能に装着される舌片に、案内・摺動機能と、スプリングによる押圧機構とを組み合わせ、固定してなる視野可変遠近両用眼鏡が開示されている。
【０００４】
しかしながら、このスプリングは、若干湾曲している棒状を呈するものであり、眼鏡を上下に切り替えする際にその湾曲した部分に沿って、押圧機構がその湾曲したスプリングを押圧するように作用するものである。しかしながら、その湾曲したスプリングを押圧機構が押圧することに対して節度感がなく、耐久性が低いという問題がある。
【先行技術文献】
【特許文献】
【０００５】
【特許文献１】実開昭６３-１２２３２１号公報
【考案の開示】
【考案が解決しようとする課題】
【０００６】
本考案は前記の点に着目してなされたもので、その課題は、多焦点レンズを有する眼鏡において、そのいずれかのレンズの焦点に使用者の視線を合わせるために眼鏡を上下してその視線を切り替える際に、節度感を有し、耐久性に富む眼鏡用パッド装置を提供することを目的とする。
【課題を解決するための手段】
【０００７】
前記の課題を解決するために、第１観点の眼鏡用パッド装置は、使用者の鼻に当接する鼻あてパッドと、鼻あてパッドは、角の丸い長方形状を呈し、長方形状の長手方向の上端部に第１吸引部と、長方形状の長手方向の下端部に第２吸引部と、を具備する摺動部と、を有し、摺動部にスライド移動可能に嵌合し、上端部および下端部にそれぞれ配置した第１吸引部および第２吸引部と選択的に吸着する被吸引部を具備する保持部と、をさらに有するものである。
【０００８】
また、第２観点の眼鏡用パッド装置は、第１観点において、鼻あてパッドの裏面に摺動部を有し、摺動部は、所定の間隔を有し、互いに対向するように配置した第１壁部と、第２壁部と、第１壁部の上端において、内側に突出するように配置された第１上端部と、第２壁部の上端において、内側に突出するように配置された第２上端部と、を有するものである。
【０００９】
また、第３観点の眼鏡用パッド装置は、第２観点において、保持部は、断面視凹状の第１凹部と、断面視凹状の第２凹部と、をさらに有し、第１凹部は、第１上端部と嵌合するとともに、第２凹部は、第２上端部と嵌合することで、摺動部に対し、保持部が、スライド移動可能に嵌合するというものである。
【００１０】
また、第１観点から、第３観点において、鼻あてパッドの表面に、シリコン樹脂を塗布するというものである。
【００１１】
また、第５観点のメガネフレームは、第１観点から、第４観点における眼鏡用パッド装置を一対２個有するというものである。
【考案の効果】
【００１２】
本考案は以上のように構成され、かつ、作用するものであるから、多焦点レンズを有する眼鏡において、そのいずれかのレンズの焦点に使用者の視線を合わせるために眼鏡を上下してその視線を切り替える際に、節度感を有し、耐久性に富む眼鏡用パッド装置を提供することができる。
【図面の簡単な説明】
【００１３】
【図１】Ａは、２個一対の眼鏡用パッド装置を有する眼鏡フレームの正面図である。Ｂは２個一対の眼鏡用パッド装置を取りはずした状態の眼鏡フレームの正面図である。
【図２】Ａは、眼鏡用パッド装置の正面図である。Ｂは、眼鏡用パッド装置の側面図である。Ｃは、眼鏡用パッド装置の背面図である。Ｄは、眼鏡用パッド装置の底面図である。Ｅは、眼鏡用パッド装置のＩＩＥ−ＩＩＥ線断面図である。
【図３】Ａは、鼻あてパッドの正面図である。Ｂは、鼻あてパッドの側面図である。Ｃは、鼻あてパッドの背面図である。Ｄは、鼻あてパッドの底面図である。Ｅは、鼻あてパッドのＩＩＩＥ−ＩＩＩＥ線断面図である。
【図４】Ａは、保持部の正面図である。Ｂは、保持部の側面図である。Ｃは、保持部の背面図である。Ｄは、保持部の底面図である。Ｅは、保持部のＶＩＥ−ＶＩＥ線断面図である。
【図５】２個一対の眼鏡用パッド装置を有する眼鏡フレームを装着した使用者を正面からら見た使用状態図である。
【図６】２個一対の眼鏡用パッド装置を有する眼鏡フレームを下方に位置した状態の使用者を側面から見た状態図である。
【図７】２個一対の眼鏡用パッド装置を有する眼鏡フレームを上方に位置した状態の使用者を側面から見た状態図である。
【考案を実施するための最良の形態】
【００１４】
以下、図示の実施形態を参照して本実施例について説明する。本実施例の眼鏡用パッド装置１０は、眼鏡フレーム１００に取り付けられるものである。本実施例の眼鏡用パッド装置１０を、眼鏡フレーム１００に取り付ける場合は、２個一対の眼鏡用パッド装置１０、１０′を有する。
【００１５】
眼鏡フレーム１００は、２個一対の眼鏡枠１１０、１１０′と、２個一対の眼鏡枠１１０、１１０′を連結する連結部１２０と、２個一対の眼鏡枠１１０、１１０′にそれぞれ接続され使用者の耳に掛けるためのつる１３０、１３０′と、有する。また、一端は眼鏡枠１１０、１１０′に取り付けられ、他端は眼鏡用パッド装置１０、１０′に取り付けられるパッドアーム１４０、１４０′を、有する。また、２個一対の眼鏡枠１１０、１１０′には、いわゆる遠近両用レンズである近視レンズ部１５０ａ、１５０ａ′と遠視用のレンズ１５０ｂ、１５０ｂ′とを有する多焦点レンズ１５０、１５０′が配置されている。パッドアーム１４０、１４０′の他端には、鼻あてパッド取り付け部１４１、１４１′が配置されている。なお、鼻あてパッド取り付け部１４１、１４１′については後述する。
【００１６】
上述のパッドアーム１４０、１４０′に螺子１４５、１４５′においてそれぞれ取り付けられる２個一対の眼鏡用パッド装置１０、１０′はそれぞれ鏡面対称であり、その構成は同一であるので、眼鏡用パッド装置１０について説明する。眼鏡用パッド装置１０は、鼻あてパッド２０と、保持部４０とを有するものである。鼻あてパッド２０は文字通り、使用者の鼻に当接するものである。
【００１７】
鼻あてパッド２０は合成樹脂製が好ましく、長手方向に配置された曲線状の一辺２０ａと曲線状の他辺２０ｂと、幅方向であって上方に配置された曲線状の上部２０ｃと、幅方向であって下方に配置された曲線状の下部２０ｄとを有し、その下部２０ｄよりも一辺２０ａが長く、さらに、その他辺２０ｂは一辺２０ａに対し、傾いて配置されている。また、鼻あてパッド２０は、角の丸い長方形状を呈している。このように、鼻あてパッド２０は、曲線状の上部２０ｃは、曲線状の下部２０ｄに比して幅広の構成である。鼻あてパッド２０の裏面２１には、摺動部３１が配置されている。上述の保持部４０が、摺動部３１と嵌合することで、鼻あてパッド２０がその保持部４０に対して選択的に上部位置Ｕまたは下部位置Ｄにスライド移動するものである。これについては、後述する。
【００１８】
摺動部３１は、第１壁部３２と第２壁部３３とを有し、第１壁部３２と第２壁部３３とは、裏面２１から立ち上がりつつそれらが所定の間隔を有するように配置されている。なお、所定の間隔については後述する。また、第１壁部３２と第２壁部３３は、鼻あてパッド２０において、長手方向に沿って平行に配置されている。
【００１９】
第１壁部３２の先端に配置する第１先端部３２ａと、第２壁部３３の先端に配置する第２先端部３３ａと、は互いに、内側に向かって突出する構成である。すなわち第１先端部３２ａは、第２壁部３３に向かって突出し、第２先端部３３ａは、第１壁部３２に向かって突出するものである。従って、鼻あてパッド２０を断面視した状態において、第１先端部３２ａと第２先端部３３ａとの間隔は、第１壁部３２の本体部分３２ｂと第２壁部３３との本体部分３３ｂとの間隔よりも幅が狭い構成である（図２Ｅ参照）。
【００２０】
第１壁部３２と第２壁部３３との間の空間部３５は、いわば溝状を呈し、保持部４０をスライド移動可能に配置することができる。溝状の空間部３５は、長手方向に直方体を呈する空所というべきものであり、その上端部３５ａと下端部３５ｂにそれぞれ磁石である第１吸引部３６と第２吸引部３７を配置している。
【００２１】
第１吸引部３６は、円筒状を呈し、その一端が、上端部３５ａに露出するとともにその大部分が、鼻あてパッド２０に埋設されている。また、同様に第２吸引部３７は、円筒状を呈し、その一端が、下端部３５ｂに露出するとともにその大部分が、鼻あてパッド２０に埋設されている。
【００２２】
鼻あてパッド２０の表面２２は、使用者の鼻に当接するものであって、その表面２２に図示しない、シリコン樹脂が塗布されている。滑り止めのためである。
【００２３】
保持部４０は、眼鏡フレーム１００に取り付けられるとともに、鼻あてパッド２０に摺動可能に取り付けられるものである。保持部４０は断面視において先端部４１と中間部４２と後端部４３とを有し、先端部４１および後端部４３が、外方に向かって突出し、中間部４２が、内方に対しへこみを有するように横向き凹状を呈している（図４Ｅ参照）。
【００２４】
また、被吸引部４５は上述の第１吸引部３６と第２吸引部３７と互いに吸引するものである。よって、被吸引部４５は、磁石が好ましく、円筒形状を呈し、中間部４２に内蔵するように配置されている。また、その被吸引部４５は、中間部４２における中間上端部４２ａおよび中間下端部４２ｂから露出するように配置されている。この被吸引部４５は、鼻あてパッド２０が上下に移動することによって、第１吸引部３６および第２吸引部３７と選択的に吸着するものである。
【００２５】
中間部４２が、内方に対しへこみを有するように横向き凹状を呈していので、その中間部４２が、鼻あてパッド２０の摺動部３１における第１先端部３２ａと、第２先端部３３ａとの間に配置され、後端部４３が溝状の空間部３５に入り込み、先端部４1が外部に露出するように配置される。これにより、保持部４０が、鼻あてパッド２０に配置され、眼鏡用パッド装置１０を構成する（図２参照）。このように第１壁部３２と第２壁部３３との所定の間隔とは、保持部４０が、摺動部３１に対し摺動可能に保持されるとともに、空間部３５から抜け出ない間隔であることが好ましい。
【００２６】
保持部４０において、先端部４１に対し中間部４２を配置している反対側の面には、パッドアーム１４０における鼻あてパッド取り付け部１４１と接続するためのパッドアーム取り付け部４６を有する。パッドアーム取り付け部４６は、ほぼ直方体形状を呈しその内部に貫通するように螺子孔４７を有している。一方で鼻あてパッド取り付け部１４１は、その内部に直方体形状を有するパッドアーム取り付け部４６を挿入するために、そのパッドアーム取り付け部４６の形状に倣った空間を有する取付空間部１４２を有するものである。従って、その取付空間部１４２に、パッドアーム取り付け部４６を挿入し、螺子１４５を螺子孔４７に貫通するように配置することによって固定することができる。このように本実施例の眼鏡用パッド装置１０を、眼鏡フレーム１００に取り付けることができる（図１Ｂ参照）。なお、本実施例の眼鏡用パッド装置１０と鏡面対称の眼鏡用パッド装置１０′も同様に、眼鏡フレーム１００に取り付けることができる。眼鏡用パッド装置１０′においても同様の符号に、「′」を付し、その説明を省略する。
【００２７】
上記構成の眼鏡用パッド装置１０および、それと鏡面対称の眼鏡用パッド装置１０′を、眼鏡フレーム１００に取り付ける。具体的には、パッドアーム１４０、１４０′において上述のとおり、パッドアーム取り付け部４６を鼻あてパッド取り付け部１４１と接続する。また同様に、パッドアーム取り付け部４６′を鼻あてパッド取り付け部１４１′と接続する。
【００２８】
多焦点レンズ１５０においてはそれぞれ、その下部に近視用のレンズ１５０ａと、上部に遠視用のレンズ１５０ｂとを有している。使用者は、例えば、遠くを見る場合において遠視用のレンズ１５０ｂを使用する場合は、鼻あてパッド２０に対して相対的に、眼鏡フレーム１００を下げる。そうすると保持部４０が、鼻あてパッド２０に対して相対的に下降する。すなわち、鼻あてパッド２０がその保持部４０に対して下部位置Ｄにスライド移動し、下端部３５ｂに配置した磁石である第２吸引部３７と、被吸引部４５とが吸引する。これにより、眼鏡フレーム１００を下げることによって、使用者の視線が、多焦点レンズ１５０において上部に配置された遠視用のレンズ１５０ｂと相対することで、使用者は、遠方を見ることができる（図５、６参照）。
【００２９】
一方で、手元を見る場合において、近視用のレンズ１５０ａを使用する場合に、鼻あてパッド２０に対して相対的に、眼鏡フレーム１００を持ち上げる。また、そのとき保持部４０を、鼻あてパッド２０に対して相対的に上昇させる。すなわち、鼻あてパッド２０がその保持部４０に対して上部位置Ｕにスライド移動し、上端部３５ａに配置した磁石である第１吸引部３６と、被吸引部４５とが互いに吸引する。この第１吸引部３６と、被吸引部４５とが互いに吸引することによって、眼鏡フレーム１００を持ち上げ、使用者の視線が、多焦点レンズ１５０において下部に配置された近視用のレンズ１５０ａと相対することで、使用者は、手元を見ることができる（図５、７参照）。
【００３０】
このように、鼻あてパッド２０がその保持部４０に対して選択的に下部位置Ｄまたは上部位置Ｕにスライド移動することで、使用者は、遠方を見たり、手元を見たりすることができる。また、使用者の鼻と、その鼻に当接する鼻あてパッド２０の位置をずらすことなく眼鏡フレーム１００を下降させたり、上昇させたりすることができる。
【００３１】
このように、眼鏡フレーム１００を持ち上げることによって鼻あてパッド２０がその保持部４０に対して上部位置Ｕにスライド移動し、上端部３５ａに配置した磁石である第１吸引部３６と、被吸引部４５が吸引する。一方、で眼鏡フレーム１００を下げることによって、鼻あてパッド２０がその保持部４０に対して下部位置Ｄにスライド移動し、下端部３５ｂに配置した磁石である第２吸引部３７と、被吸引部４５が吸引する。このように、被吸引部４５が選択的に第１吸引部３６と第２吸引部３７と吸引することによって鼻あてパッド２０がその保持部４０に対して上部位置Ｕまたは下部位置Ｄにスライド移動することで、眼鏡を上下してその視線を切り替える際の節度感を有する。尚、選択的とは、被吸引部４５は、第１吸引部３６または第２吸引部３７のいずれかと吸着することをいい、同時に第１吸引部３６および第２吸引部３７の双方に吸着することはないことをいう。
【００３２】
また、被吸引部４５と、第１吸引部３６および第２吸引部３７において、磁石を使用すれば、第１吸引部３６または第２吸引部３７との吸引および離脱をするときにさらに節度感があり、耐久性に富む眼鏡用パッド装置を提供することができる。
【符号の説明】
【００３３】
１０  １０′眼鏡用パッド装置
２０  鼻あてパッド
２１  裏面
２２  表面
３１  摺動部
３２  第１壁部
３２ａ  第１先端部
３３  第２壁部
３３ａ  第２先端部
３６  第１吸引部
３７  第１吸引部
４０  保持部
４５  被吸引部
１００  眼鏡フレーム
１１０  １１０′眼鏡枠
１２０  連結部
１３０、１３０′つる
１４０、１４０′パッドアーム
１４１、１４１  鼻あてパッド取り付け部
１５０、１５０′多焦点レンズ
【図１】
0003222754.tif 000003
【図２】
0003222754.tif 000004
【図３】
0003222754.tif 000005
【図４】
0003222754.tif 000006
【図５】
0003222754.tif 000007
【図６】
0003222754.tif 000008
【図７】
0003222754.tif 000009